(57)【特許請求の範囲】
【請求項１】
いずれも端子（５１，５３）を備えた引出枠（５２）及び前記引出枠（５２）内を移動自在の遮断器本体（５４）、並びに前記引出枠（５２）及び前記遮断器本体（５４）のいずれか一方の端子に装着され該一方の端子と他方の端子とを接続及び断路させるブリッジ形引出接触子装置（１）を有し、
前記引出接触子装置（１）は、前記両端子（５１，５３）のそれぞれ表側及び裏側で接触するように対向配置された複数片の引出接触子（５６）と、表側及び裏側の前記引出接触子（５６）を回転自在に保持する一対の接触子軸（５７）と、前記接触子軸（５７）を保持する軸保持部材（２）と、前記引出接触子（５６）の対向間隔を狭める方向に作用する接触子ばね（６０）を備えた引出型回路遮断器において、
前記軸保持部材（２）は断面がコ字状であってその両腕において前記装着側端子の両側面に回転自在に装着されるとともに、表側及び裏側の前記接触子軸（５７）にそれぞれ一方及び他方の腕が回転自在に保持され該両腕をつなぐ連結部に前記装着側端子の移動方向の端面と接触する弧状の接触縁（３ａ）が形成された軸湾曲阻止部材（３）を備えたことを特徴とする引出型回路遮断器。
【発明の詳細な説明】
【０００１】
【発明の属する技術分野】
本発明は、引出型回路遮断器の遮断器本体と引出枠との間を接続及び断路する引出接触子装置に関する。
【０００２】
【従来の技術】
従来の引出型回路遮断器が図４ないし図７に示されている。この引出型回路遮断器は、枠端子５１を備えた引出枠５２と本体端子５３を備え引出枠内を移動する遮断器本体５４からなる。本体端子５３にはブリッジ形の引出接触子装置５５が取り付けられており、図４に示されているように遮断器本体５４と引出枠５２とが接続状態にあるときは、引出接触子装置５５が枠端子５１と接触している。また、図５に示されているように遮断器本体５４と引出枠５２とが断路状態にあるときは、引出接触子装置５５と枠端子５１が開離している。すなわち、本体端子５３は特許請求の範囲において記載されている一方の端子であり、枠端子５１は他方の端子である。この引出型回路遮断器とは異なり、枠端子に引出接触子装置が装着されているものもあり、この場合は枠端子が一方の端子となり、本体端子は他方の端子となる。
【０００３】
図６及び図７を参照して、引出接触子装置５５は、枠端子５１及び本体端子５３のそれぞれ上面及び下面と接触するそれぞれ複数片の引出接触子５６を備えており、上側及び下側の引出接触子５６は互いに対向している。なお、端子の上面及び下面は特許請求の範囲に記載されている表及び裏に相当するものである。引出接触子５６はその一端部に形成されている上下方向に長い長孔５６ａを挿通する接触子軸５７によって回転自在に保持されている。軸保持板５８は断面がコ字状なるように形成されてその両腕において本体端子５３の側面部に装着されており、接触子軸５７は軸保持板５８の両腕部において保持されている。
【０００４】
上側の隣り合う一対の引出接触子５６と対向する下側の隣り合う一対の引出接触子５６を一組として、隣り合う一対の引出接触子５６間に装着された上下一対の軸５９の間に接触子ばね６０が設けられ、接触子ばね６０は引出接触子５６をその上下の対向間隔が狭まるように付勢している。引出接触子５６は共に弧状に形成された本体側接触縁５６ｂ及び枠側接触縁５６ｃを有し、本体側接触縁５６ｂは本体端子５３と常時接触し、上下の枠側接触縁５６ｃは断路状態において所定の間隔Ｇ１をもって対向している。この対向間隔Ｇ１は、軸保持板５８の両腕をつなぐ連結部５８ａの上下の縁に引出接触子５６が押し付けられることによって形成されている。なお、この対向間隔Ｇ１は枠端子５１の厚みＧ２より小さい値に設定されているため、挿入が完了した後においては軸保持板５８の連結部５８ａと引出接触子５６との間に隙間が形成されている。しかし、この隙間が小さすぎると枠側接触縁５６ｃや枠端子５１に摩耗などが生じて隙間がなくなることがあり、この場合は引出接触子５６と枠端子５１が接触しなくなるため、Ｇ２とＧ１の間には相応の差ができるように軸保持板５８の両腕をつなぐ連結部５８ａの巾寸法が決められている。
【０００５】
この引出型回路遮断器の挿入操作が行われたときの動作は、引出接触子５６の枠側接触縁５６ｃが枠端子５１の先端の傾斜面５１ａと接触して、上下の引出接触子５６の対向間隔を広げながら傾斜面５１ａ上を摺動して枠端子５１の平面部分５１ｂに達する。この動作において、枠側接触縁５６ｃが傾斜面５１ａを摺動するとき、引出接触子５６に接触子ばね６０の反作用力Ｆの接触子軸方向の分力ＦＡが図６に鎖線で示されているごとく接触子軸５７を湾曲させるように作用する。この湾曲が発生すれば中央部付近の引出接触子５６が左方向に変位し枠側接触縁５６ｃが枠端子５１の平面部分５１ｂに達しないこととなるため接続が不完全となる。これを防止するため、ストッパ６１が本体端子５３上に設けられ引出接触子５６の左方向の変位を阻止する構造になっている。
【０００６】
【発明が解決しようとする課題】
このような従来の引出形回路遮断器は、枠端子５１と本体端子５３の上下方向の位置にずれが生じている場合は、上側及び下側のいずれか一方の引出接触子５６と枠端子５１との接触が不完全になるという問題があり、部品寸法のばらつきや組立のばらつきをきびしく管理する必要があるという問題があった。
【０００７】
したがって、本発明は、本体端子と枠端子の上下方向の位置が多少ずれても確実な接触が得られる、製造が簡単で品質の安定した引出接触子装置を有する引出型回路遮断器を提供することにある。
【０００８】
【課題を解決するための手段】
上記の問題を解決するために、本発明は、いずれも端子を備えた引出枠及び引出枠内を移動自在の遮断器本体、並びに引出枠及び遮断器本体のいずれか一方の端子に装着され該一方の端子と他方の端子とを接続及び断路させるブリッジ形引出接触子装置を有し、引出接触子装置は、両端子のそれぞれ表側及び裏側で接触するように対向配置された複数片の引出接触子と、表側及び裏側の引出接触子を回転自在に保持する一対の接触子軸と、接触子軸を保持する軸保持部材と、引出接触子の対向間隔を狭める方向に作用する接触子ばねを備えた引出型回路遮断器において、軸保持部材は断面がコ字状であってその両腕において装着側端子の両側面に回転自在に装着されるとともに、表側及び裏側の接触子軸にそれぞれ一方及び他方の腕が回転自在に保持され該両腕をつなぐ連結部に装着側端子の移動方向の端面と接触する弧状の接触縁が形成された軸湾曲阻止部材を備えたこととしている。
【０００９】
このような構成により、挿入操作中に接触子ばねの反力が接触子軸に作用しても、接触子軸に保持されている軸湾曲阻止部材が端子の端面と接して軸の湾曲を防止する。また、枠端子と本体端子が上下方向にずれている場合は、挿入操作途中に一方の接触子軸が端子の端面に近づく方向に他方の接触子軸が遠ざかる方向に軸保持部材に回転力が作用する。このとき、端面と接触している軸湾曲保持部材の接触縁が弧状であるため軸保持部材が円滑に回転し、対向する双方の引出接触子は確実に両端子と接触する。
【００１０】
【発明の実施の形態】
本発明による引出型回路遮断器の実施の形態を、図１ないし図３に示される実施例において説明する。なお、この実施例は従来の技術に記載した回路遮断器と大部分の点で同一であるため、ここでは同一部品は同一符号を付して相異する点だけを説明する。すなわち、相異点は引出接触子装置の構成にあって、本実施例による引出接触子装置１は従来の引出接触子装置５５と比較して、従来技術の軸保持板５８に相当する軸保持板２を回転自在に装着した点及び挿入操作時に接触子軸５７の湾曲を防止する軸湾曲阻止部材３を設けた点にある。
【００１１】
軸保持板２はブッシュ４を介してねじ５によって回転自在に本体端子５３に装着されており、引出接触子５６の枠側接触縁５６ｃの対向間隔Ｇ１は軸保持板２の両腕を連結する連結部２ａの上下の縁に上下の引出接触子５６が係止することによって形成されている。また、軸湾曲阻止部材３は、隣り合う引出接触子５６の隙間であって接触子ばね６０が装着されていない隙間に装着されている。軸湾曲阻止部材３は略コ字状の金属板であって、その一方及び他方の腕の端部に形成された孔においてそれぞれ上側及び下側の接触子軸５７に保持され、両腕をつなぐ連結部の内側に弧状の接触縁３ａが形成されている。
【００１２】
このように構成されている実施例の引出型回路遮断器の挿入動作において、枠側接触縁５６ｃが枠端子５１の傾斜面５１ａを摺動するとき、接触子ばね６０の反作用力が接触子軸５７と共に軸湾曲阻止部材３を左方向に付勢する。しかし、軸湾曲阻止部材３の接触縁３ａが本体端子５３の端面５３ａと接して軸湾曲阻止部材３が変位しないため接触子軸５７の湾曲が阻止される。
【００１３】
次に、図３を参照して、この実施例の引出型回路遮断器が枠端子５１と本体端子５３の上下位置がずれて組み立てられている場合の挿入操作時の動作について説明する。例えば枠端子５１より本体端子５３が多少下方にある場合は、挿入操作の初期においてまず上側の引出接触子５６の枠側接触縁５６ｃが枠端子５１の上側の傾斜面５１ａ上を摺動し始める。このとき上側の引出接触子５６は左方向へ付勢されるため軸保持板２が取付部を中心として反時計方向へ回転する。続いて下側の引出接触子５６の枠側接触縁５６ｃが枠端子５１の下側の傾斜面５１ａ上を摺動し始め、軸保持板２に時計方向へ回転させる力が作用する。しかし、反時計方向への回転力の方が強いため軸保持板２は反時計方向へ回転する。すなわち、本体端子５３上で上側の引出接触子５６は左方向へ変位し下側の引出接触子５６は右側へ変位し、図３に示されているごとく、挿入操作が完了したときは軸保持板２が回転した状態で枠端子５１と本体端子５３が接続される。このような接続状態であっても上下の引出接触子５６が共に変位しているため十分な接触余裕が維持される。なお、引出接触子５６の本体側接触縁５６ｂ及び軸湾曲阻止部材３の接触縁３ａもともに弧状に形成されているため、軸保持板２及び軸湾曲阻止部材３が円滑に回転しこの動作は円滑に行われる。
【００１４】
上記に、本発明の実施の形態について説明を行ったが、上記に開示された本発明の実施の形態は、あくまでも例示であって、本発明の範囲は上記の発明の実施の形態に限定されるものではない。本発明の範囲は、特許請求の範囲の記載によって示され、さらに特許請求の範囲の記載と均等の意味および範囲内でのすべての変更を含むことが意図される。
【００１５】
【発明の効果】
本発明は、以上説明した形態で実施され、端子の表側及び裏側に対向するように引出接触子を備えたブリッジ形引出接触子装置を有する引出型回路遮断器において、引出接触子を保持する接触子軸に保持され端子の端面との弧状の接触縁を有する軸湾曲阻止部材を備えるとともに、軸保持部材を回転自在に装着するようにしたため、枠端子と本体端子が上下方向にずれている場合であっても引出接触子が確実に枠端子及び本体端子と接触し、その結果、部品寸法のばらつきや組立のばらつきをきびしく管理する必要のない、製造が簡単で品質の安定した引出型回路遮断器を提供できるという効果を奏する。
【図面の簡単な説明】
【図１】本発明による実施例の引出型回路遮断器の引出接触子装置が断路状態にあるときの平面図であって一部が破断された図である。
【図２】図１の引出型回路遮断器の挿入操作において引出接触子装置が枠端子と接触した瞬間のＹ−Ｙから見た側面断面図である。
【図３】図２の枠端子と本体端子が上下方向にずれている場合の挿入操作が完了した状態を示す説明図である。
【図４】従来の引出型回路遮断器の挿入状態示す側面図である。
【図５】図４の引出型回路遮断器の断路状態を示す図である。
【図６】図４の引出型回路遮断器の引出接触子装置が断路状態にあるときの平面図である。
【図７】図６の引出型回路遮断器の挿入操作において引出接触子装置が枠端子と接触した瞬間のＸ−Ｘから見た側面断面図である。
【符号の説明】
１  引出接触子装置、２  軸保持板、２ａ  連結部、３  軸湾曲阻止部材、３ａ接触縁、５１  枠端子、５１ａ  傾斜面、５１ｂ  平面部分、５２  引出枠、５３  本体端子、  ５４  遮断器本体、５６  引出接触子、５６ｂ  本体側接触縁、５６ｃ  枠側接触縁、５７  接触子軸、６０  接触子ばね
【図１】
0004237431.tif 000002
【図２】
0004237431.tif 000003
【図３】
0004237431.tif 000004
【図４】
0004237431.tif 000005
【図５】
0004237431.tif 000006
【図６】
0004237431.tif 000007
【図７】
0004237431.tif 000008